(57)【要約】      （修正有）【課題】構造が簡単でメンテナンスや取扱いが容易であり、軽量で作業効率の良いテープ結束機具を提供する。【解決手段】支柱３７と枝３８などの被結束物が粘着テープの粘着層に当たり、さらにコ状の結束部２２に入ると半円盤体２１を回動させて、粘着テープ３３で適当な長さ、強さで包み結束する。そして、テープ圧着部２０と圧着ローラ部２３とにより粘着テープ３３の粘着面が合掌貼着される。半円盤体２１は引っ張りスプリング１９の戻り作用により回動し、通常状態に戻り、結束された被結束物と粘着テープ３３も誘導案内溝２８入り口に排出される。フレーム本体の一端部にテープカッター刃１５の手前のテープ保持針１０に合掌貼りされた粘着テープ３３の先端部付近が刺さり、フレーム本体一端部に付けられているテープカッター刃１５を押し当て粘着テープ３３を切断されるようにした。【選択図】図１
2005272000.tif 000002
【特許請求の範囲】
【請求項１】
ロール状の粘着テープを回転可能に収容する収納部と、この収納部に収納される粘着テープの繰出し側に配設されるテープ案内部と、枝等の被結束物を所定の位置まで誘導する誘導通路をそれぞれ形成した装置フレームと前記誘導通路の入口近傍に臨むように配置され外周面に凹溝が形成された半円版体部と前記半円版体部の外周面に弾性的に当接するように配置され、この半円版体部で前記収納部から送られてきた粘着テープを、前記被結束物に巻き付け結束する回動結束作動部と、結束した粘着テープの粘着面同士を前記半円版体部の外周面との間で挟持し押圧合掌貼りするための遊動圧着ローラ部と、合掌貼りされた粘着テープを切断するテープ切断部と、一端部に引き出した粘着テープを保持する保持部と、前記収納部の上方側に位置する把持部とからなり、粘着テープと被結束物を誘導部に押しあて装置フレームを引くことにより回動結束作動部が回動し結束することを特徴とするテープ結束機具。
【請求項２】
ロール状の粘着テープを回転可能に収容する収納部と、この収納部に収納される粘着テープの繰出し側に配設されるテープ案内部と、枝等の被結束物を所定の位置まで誘導する誘導通路をそれぞれ形成した装置フレームと前記誘導通路の入口近傍に臨むように配置され外周面に凹溝が形成された半円版体部と前記半円版体部の外周面に弾性的に当接するように配置され、この半円版体部で前記収納部から送られてきた粘着テープを、前記被結束物に巻き付け結束する回動結束作動部と、結束した粘着テープの粘着面同士を前記半円版体部の外周面との間で挟持し押圧合掌貼りするための遊動圧着ローラ部と、合掌貼りされた粘着テープを切断するテープ切断部と、一端部に引き出した粘着テープを保持する保持部と、前記収納部の上方側に位置する把持部とからなり、粘着テープと被結束物を誘導部に押しあて装置フレームを引くことにより回動結束作動部が回動し結束することを特徴とするテープ結束機具において、誘導部は湾曲状の凹部を形成してなることを特徴とするテープ結束機具。
【請求項３】
ロール状の粘着テープを回転可能に収容する収納部と、前記収納部に連通する粘着テープの装着用開口部と、収納部からテープ案内部に渡って開設されるテープ案内用開口部と、枝等の被結束物を所定の位置まで誘導する誘導通路をそれぞれ形成した装置フレームと前記誘導通路の入口近傍に臨むように配置され外周面に凹溝が形成された半円版体部と前記半円版体部の外周面に弾性的に当接するように配置され、この半円版体部で前記収納部から送られてきた粘着テープを、前記被結束物に巻き付け結束する回動結束作動部と、結束した粘着テープの粘着面同士を前記半円版体部の外周面との間で挟持し押圧合掌貼りするための遊動圧着ローラ部と、合掌貼りされた粘着テープを切断するテープ切断部と、一端部に引き出した粘着テープを保持する保持部と、前記収納部の上方側に位置する把持部とからなり、粘着テープと被結束物を誘導部に押しあて装置フレーム本体を引くことにより回動結束作動部が回動し結束することを特徴とするテープ結束機具。
【発明の詳細な説明】
【技術分野】
【０００１】  本発明は、果樹園や園芸農園等において植物の茎や枝と支柱とを誘引結束する省力化を図ったテープ結束機具に係わるものである。
【技術背景】
【０００２】  従来のこの種の結束作業としては、ワラ，紐，プラスチック製の紐を結び付けたり、ビニル針金，ゴムバンドで巻き付ける方法が主に行われている。
【０００３】  ワラ，紐，プラスチック製の紐を結び付けたり、ビニル針金，ゴムバンドで巻き付ける手作業による結束作業の効率の悪さの課題があった。
【０００４】  ステープルを使用してテープ端を止める結束機械による結束方式やハンドル部を片手で挾持して被結束物に粘着テープを包囲した後、合掌貼りする粘着テープを用いた誘引結束方式のものは構造が複雑で重量が重く女性が長時間片手で保持して結束作業をするには負担が大きいという問題があった。
【０００５】  また、ステープルを使用してテープ端を止める結束機械による結束方式（例えば特許文献１）やハンドル部を片手で挾持して被結束物に粘着テープを包囲した後、粘着テープを合掌貼りする粘着テープを用いた誘引結束方式例えば特許文献２〜５）も採用されている。
このような構成を有する園芸用結束機によれば、結束機本体側から昇降作動体に亘って引き出された結束テープの外側面に、支柱を隣接させた苗木や枝（以下、「被結束体」という。）をあてがい、被結束体収納部に収納し、昇降作動体を下降させれば、被結束体を結束テープで括るので構造が複雑でありメンテナンスや取扱いが難しいという問題があった。
これら問題を解決する方法として、粘着テープを巻き付ける方法が考えられたが、粘着テープを所定長さに切断して茎や枝と支柱を巻き付けるこの方法では作業は面倒であるため、必ずしも大幅な改善には至らないというのが現状である。
【特許文献１】    （特公昭４１−８０００号公報）
【特許文献２】    （特公昭５２−４２６８９号公報）
【特許文献３】    （実開昭６１−１７８８５１号公報）
【特許文献４】    （実開平７−３９３８２号公報）
【特許文献５】    （特開２００２−２８４１１５号公報）
【発明の開示】
【発明が解決しようとする課題】
【０００６】  以上に述べた従来の結束作業では手作業による結束作業の効率の悪さと、ステープルを使用してテープ端を止める結束機械による結束方式やハンドル部を片手で挾持して被結束物に粘着テープを包囲する結束方式は機具が重く、連続的な作業では腕が疲れる。【０００７】  また、結束機本体側から昇降作動体を下降させる結束機は構造が複雑でありメンテナンスや取扱いが難しい。【０００８】  本発明は、このような従来の構成が有していた問題を解決しようとするものであり、作業時間を短縮し、実行行為を単純化して能率を向上させるとともに、簡単な方式で誰でも手軽に使用でき、長時間の結束作業でも疲れない軽量で安全なテープ結束機具を実現する事を目的とする。
【問題を解決するための手段】
【０００９】  そして、本発明は上記目的を達成するために、ロール状の粘着テープを回転可能に収容保持する収納保持部、この収納保持部に収納保持される粘着テープの繰出し側に配設されるテープ案内部、粘着テープを保持する保持部に粘着テープを案内する案内ローラ部および、枝等の被結束物を所定位置まで誘導する誘導通路をそれぞれ形成したフレームと、前記誘導通路の入り口近傍に臨むように配置され、被結束物を巻き付け結束するための外周面に凹溝が形成された回動部と、前記回動部の外周面に結束させた粘着テープの両端粘着面同士を圧着合掌貼りする圧着機構部と、前記圧着機構部面に対向し、両端粘着面同士を圧着するためのローラ圧着部と、合掌貼りされた端を切断する切断部と、切断するために引き出した粘着テープを保持する保持部を設けたものである。
【００１０】  これにより、被結束物に粘着テープを包囲した後、粘着テープの粘着面同士を合掌貼りすることができ、さらに結束物を前記回動部と前記誘導通路から戻し、粘着テープを引き出し粘着テープを保持し保持部により粘着テープが保持され、切断するため一端部に引き出したテープの端を切断する切断部により粘着テープを切断し、切断するため一端部に引き出したことにより次回結束する為のテープを準備することができる。本体の中部側に握持部、握持部の内側にテープ案内部、握持部の最下部にテープ収納部を設ける。
【００１１】  ロール状の粘着テープを収容する収納部と、この収納部に収納される粘着テープの繰出し側に配設されるテープ案内部と、被結束物を巻き付け結束するための凹溝が形成された回動部と、回動部の外周面に結束させた粘着テープの両端粘着面同士を圧着合掌貼りする圧着機構部と、圧着機構部面に対向し両端粘着面同士を圧着するためのローラ圧着部と、合掌貼りされた端を切断する切断部と、切断するために引き出した粘着テープを保持する保持部を具備することを特徴とするテープ結束機具。
【発明の効果】
【００１２】  上述したように本発明のテープ結束機具は、昇降作動体やハンドル部が無く、粘着テープの装着が簡単で誰でも容易に操作できる簡単な構造であるので、特別なメンテナンスの必要もなく取扱いが容易であるテープ結束機具を提供できる。
【００１３】  更に、機具が軽量であり長時間の作業でも腕が疲れることはない。また片手で１回の動作により結束と粘着テープの粘着面同士を合掌貼りできるので作業効率が上昇するという効果を発揮するものである。
【００１４】  したがって、この発明によれば、１回の結束作業を作業者が片手で１〜２秒で行い従来に比し非常に迅速な作業を行うことができるため、結束作業、特に毎日多数行う必要のある枝止め作業においては、作業効率が飛躍的に向上した。
【発明の実施するための最良の形態】
【００１５】  以下、  この発明の１の実施形態を図面に基づいて説明する。
図１は本発明に係る園芸用結束機の一実施例を示す側面図である。
【００１６】  この結束具は、本体が数字７字状に形成された一対の板体２６、３０が相対峙して配置されその一対の板体２６、３０に支持板体２５が挟まれるように構成され装置フレームを構成してている。
【００１７】  装置フレーム本体を構成する一対の板体２６、３０フレーム本体の中間に把握部３１、装置フレーム本体の最下部に、ロール状の粘着テープ３４を収容する収納部２７と、この収納部２７に収納される粘着テープ３４の繰出し側に配設されるテープ案内部３２とフレーム本体の数字７字状の上方の隅角部に斜め方向に湾曲状の誘導案内溝２８とが形成され、誘導案内溝２８の中間に臨接するフレーム本体の数字７字状の湾曲状の誘導案内溝２８中程上部に回転自在に被結束物を誘引し粘着テープを巻き付け結束・圧着するための半円盤体２１が軸３を支点として回動可能に設置されている。そして半円盤体２１の外周面をテープ圧着部２０としている。
【００１８】  この半円盤体２１に対向するように円柱状の圧着ローラ部２３が配置され数字７字状形態のフレーム本体の上方側近傍に回転且つ弾性遊動可能に設けられている。そして圧着ローラ２３の下部にテープを案内するガイドローラ２４を設けている。さらにフレーム本体の数字７字状の一端部にテープカッター刃１５が取り外し可能に取り付けられている。そのテープカッター刃１５の手前にテープ保持針１０を設けている。またフレーム本体の側壁にはテープ案内用開口部３２が開設されており、収納部２７に収納された粘着テープ３４の先端部をガイドローラ２４からフレーム本体の数字７字状の一端部のテープ保持針１０に保持できるようにしてある。
また半円盤体２１の外周端の一端部にコ状の結束部２２が形成されれている。半円盤体２１の外周面の一部にはバネ取り付け部３５が設けてあり、引っ張りスプリング１９の一端が取り付けられており、引っ張りスプリング１９の他端は装置フレーム本体の頭部側に固定設置されたバネ取り付け部３６に係止されている。
【００１９】  したがって、このような半円盤体２１は、図１に示したように軸３を支点として回動可能であるが、引っ張りスプリング１９の一端が取り付けられており、引っ張りスプリング１９の他端は装置フレーム本体の頭部側に固定設置されたバネ取り付け部３６に係止されていることにより、回転域が規制されている。
【００２０】  なお、このような半円盤体２１は、引っ張りスプリング１９の作用により通常は、図３に示すように、半円盤体２１のコ状の結束部２２が誘導案内溝２８の入口に当接した状態にある。そして、この状態から、図４に示すように、支柱３７と枝３８などの被結束物が誘導案内溝２８に導入されてくると粘着テープの粘着層に当たり、さらに半円盤体２１のコ状の結束部２２に入ると半円盤体２１は、軸３を支点として図５において反時計方向に回動させる。そして、半円盤体２１は回動され、この回動に伴って粘着テープ３３はロール体３４から引き出され、湾曲状の誘導案内溝２８にて半円盤体２１のコ状の結束部２２にて結束され、支柱３７と枝３８とを粘着テープ３３で適当な長さ、強さで包み結束する。さらに半円盤体２１の回動により、半円盤体２１の外周面のテープ圧着部２０と半円盤体２１に対向するように設けられた円柱状の圧着ローラ部２３とにより粘着テープ３３の粘着面が合掌貼着される。
【００２１】  なお、半円盤体２１のコ状の結束部２２にて結束された支柱３７と枝３８などの被結束物と粘着テープ３３が圧着ローラ部２３を通過するとき、粘着テープ３３の引っ張り作用により圧着ローラ部２３が上方向に移動し半円盤体２１の外周面のテープ圧着部２０とに粘着テープ３３が挟持され、両端粘着面同士を強く押圧する。
【００２２】  そして、支柱３７と枝３８などの結束物が湾曲状の誘導案内溝２８の最深部に到達すると反時計方向の回転は停止され（図５）半円盤体２１は引っ張りスプリング１９の戻り作用により時計方向に回動し、半円盤体２１のコ状の結束部２２はテープ誘導案内溝２８の入口に当接した通常状態に戻り、結束された支柱３７と枝３８と粘着テープ３３もテープ誘導案内溝２８入り口に排出される。（図６）さらに装置フレーム本体を斜め下方向に引くと粘着テープ３４が引き出され、フレーム本体の数字７字状の一端部にテープカッター刃１５の手前のテープ保持針１０に合掌貼りされた粘着テープの先端部付近が刺さり、フレーム本体の数字７字状の一端部に付けられているテープカッター刃１５を押し当て粘着テープ３３を切断する。これで結束作業は完了する。（図７）
【００２３】  これにより、次回の結束用紙粘着テープ３３が所定の長さに引き出され切断部前方の保持針１０にて保持され、回転結束・圧着機構部は初期停止位置に戻り結束準備は完了する。
【図面の簡単な説明】
【図１】本発明に係る園芸用結束機の一実施例を示す側面図である。
【図２】図１の園芸用結束機の構造を示す分解図である。
【図３】園芸用結束機の動作工程を示す側面断面図。
【図４】園芸用結束機の動作工程を示す側面断面図。
【図５】園芸用結束機の動作工程を示す側面断面図。
【図６】園芸用結束機の動作工程を示す側面断面図。
【図７】園芸用結束機の動作工程を示す側面断面図。
【符号の説明】
１  ナット                                  ２７テープ収納部
２  ワッシャー                              ２８誘導案内溝
３  ネジ                                    ２９圧着ローラ遊動溝
４  ネジ                                    ３０フレーム板体
５  ネジ                                    ３１把握部
６  カッター刃受け台                        ３２案内用開口部
７  ナット                                  ３３粘着テープ
８  ワッシャー                              ３４ロール体
９  ネジ                                    ３５バネ取り付け部
１０保持針                                  ３６バネ取り付け部
１１ナット                                  ３７支柱
１２ワッシャー                              ３８枝
１３ネジ
１４カッター刃押さえ板
１５カッター刃
１６ケース蓋
１７ネジ
１８ネジ
１９スプリング
２０テープ圧着部
２１半円盤体
２２結束部
２３圧着ローラ
２４テープ案内ローラ
２５支持板体
２６フレーム板体
【図１】
2005272000.tif 000003
【図２】
2005272000.tif 000004
【図３】
2005272000.tif 000005
【図４】
2005272000.tif 000006
【図５】
2005272000.tif 000007
【図６】
2005272000.tif 000008
【図７】
2005272000.tif 000009